【手続補正書】
【提出日】平成22年7月21日(2010.7.21)
【手続補正１】
【補正対象書類名】特許請求の範囲
【補正対象項目名】全文
【補正方法】変更
【補正の内容】
【特許請求の範囲】
【請求項１】
表面に情報記録面が形成された支持基体の情報記録面上に光透過層を有し、この光透過層を通して記録光及び再生光の少なくとも一方が入射するように使用される光情報媒体であって、前記光透過層がトリメチロールプロパントリ（メタ）アクリレート、ジトリメチロールプロパンテトラ（メタ）アクリレート、ペンタエリスリトールトリ（メタ）アクリレート、ペンタエリスリトールテトラ（メタ）アクリレート、トリス（２−アクリロイルオキシエチル）イソシアヌレート、ジペンタエリスリトールヘキサ（メタ）アクリレート、テトラエチレングリコールジ（メタ）アクリレート、トリシクロデカンジメタノールジ（メタ）アクリレート、エチレンオキサイド変性リン酸ジ（メタ）アクリレート、カプロラクトン変性リン酸ジ（メタ）アクリレート、エチレングリコールジ（メタ）アクリレート、ネオペンチルグリコールジ（メタ）アクリレート、１，６−ヘキサンジオールジ（メタ）アクリレート、１，９−ノナンジオールジ（メタ）アクリレート、２−メチル−１，８−オクタンジオールジ（メタ）アクリレート、１，１０−デカンジオールジ（メタ）アクリレート、テトラヒドロフルフリル（メタ）アクリレート、４−ヒドロキシブチル（メタ）アクリレート、２−エチル−２−メチル−１，３−ジオキソラン−４−イル−メチル（メタ）アクリレート、イソボルニル（メタ）アクリレート、ジシクロペンテニル（メタ）アクリレート、エチレンオキサイド変性リン酸（メタ）アクリレート、カプロラクトン変性リン酸（メタ）アクリレートからなる群から選択される（メタ）アクリレート（Ａ）、分子鎖末端に少なくとも２個の（メタ）アクリロイル基を持つポリジメチルシロキサン（Ｂ）及び光重合開始剤（Ｃ）を含有し、（Ａ）の使用割合が、（Ａ）、（Ｂ）、（Ｃ）の合計１００質量部中に７０質量部以上である硬化性組成物の硬化物である光情報媒体。
【請求項２】
（メタ）アクリレート（Ａ）が、ジトリメチロールプロパンテトラ（メタ）アクリレート、テトラエチレングリコールジ（メタ）アクリレートまたは４−ヒドロキシブチル（メタ）アクリレートである請求項１記載の光情報媒体。
【手続補正２】
【補正対象書類名】明細書
【補正対象項目名】００１１
【補正方法】変更
【補正の内容】
【００１１】
本発明は、表面に情報記録面が形成された支持基体の情報記録面上に光透過層を有し、この光透過層を通して記録光及び再生光の少なくとも一方が入射するように使用される光情報媒体であって、前記光透過層がトリメチロールプロパントリ（メタ）アクリレート、ジトリメチロールプロパンテトラ（メタ）アクリレート、ペンタエリスリトールトリ（メタ）アクリレート、ペンタエリスリトールテトラ（メタ）アクリレート、トリス（２−アクリロイルオキシエチル）イソシアヌレート、ジペンタエリスリトールヘキサ（メタ）アクリレート、テトラエチレングリコールジ（メタ）アクリレート、トリシクロデカンジメタノールジ（メタ）アクリレート、エチレンオキサイド変性リン酸ジ（メタ）アクリレート、カプロラクトン変性リン酸ジ（メタ）アクリレート、エチレングリコールジ（メタ）アクリレート、ネオペンチルグリコールジ（メタ）アクリレート、１，６−ヘキサンジオールジ（メタ）アクリレート、１，９−ノナンジオールジ（メタ）アクリレート、２−メチル−１，８−オクタンジオールジ（メタ）アクリレート、１，１０−デカンジオールジ（メタ）アクリレート、テトラヒドロフルフリル（メタ）アクリレート、４−ヒドロキシブチル（メタ）アクリレート、２−エチル−２−メチル−１，３−ジオキソラン−４−イル−メチル（メタ）アクリレート、イソボルニル（メタ）アクリレート、ジシクロペンテニル（メタ）アクリレート、エチレンオキサイド変性リン酸（メタ）アクリレート、カプロラクトン変性リン酸（メタ）アクリレートからなる群から選択される（メタ）アクリレート（Ａ）、分子鎖末端に少なくとも２個の（メタ）アクリロイル基を持つポリジメチルシロキサン（Ｂ）及び光重合開始剤（Ｃ）を含有し、（Ａ）の使用割合が、（Ａ）、（Ｂ）、（Ｃ）の合計１００質量部中に７０質量部以上である硬化性組成物の硬化物である光情報媒体である。ここで、（メタ）アクリレート（Ａ）としては、ジトリメチロールプロパンテトラ（メタ）アクリレート、テトラエチレングリコールジ（メタ）アクリレートまたは４−ヒドロキシブチル（メタ）アクリレートが好ましい。
【手続補正３】
【補正対象書類名】明細書
【補正対象項目名】００１８
【補正方法】変更
【補正の内容】
【００１８】
光透過層としては、トリメチロールプロパントリ（メタ）アクリレート、ジトリメチロールプロパンテトラ（メタ）アクリレート、ペンタエリスリトールトリ（メタ）アクリレート、ペンタエリスリトールテトラ（メタ）アクリレート、トリス（２−アクリロイルオキシエチル）イソシアヌレート、ジペンタエリスリトールヘキサ（メタ）アクリレート、テトラエチレングリコールジ（メタ）アクリレート、トリシクロデカンジメタノールジ（メタ）アクリレート、エチレンオキサイド変性リン酸ジ（メタ）アクリレート、カプロラクトン変性リン酸ジ（メタ）アクリレート、エチレングリコールジ（メタ）アクリレート、ネオペンチルグリコールジ（メタ）アクリレート、１，６−ヘキサンジオールジ（メタ）アクリレート、１，９−ノナンジオールジ（メタ）アクリレート、２−メチル−１，８−オクタンジオールジ（メタ）アクリレート、１，１０−デカンジオールジ（メタ）アクリレート、テトラヒドロフルフリル（メタ）アクリレート、４−ヒドロキシブチル（メタ）アクリレート、２−エチル−２−メチル−１，３−ジオキソラン−４−イル−メチル（メタ）アクリレート、イソボルニル（メタ）アクリレート、ジシクロペンテニル（メタ）アクリレート、エチレンオキサイド変性リン酸（メタ）アクリレート、カプロラクトン変性リン酸（メタ）アクリレートからなる群から選択される（メタ）アクリレート（Ａ）（以下、「成分Ａ」という）、分子鎖末端に少なくとも２個の（メタ）アクリロイル基を持つポリジメチルシロキサン（Ｂ）（以下、「成分Ｂ」という）及び光重合開始剤（Ｃ）（以下、「成分Ｃ」という）を含有し、（Ａ）の使用割合が、（Ａ）、（Ｂ）、（Ｃ）の合計１００質量部中に７０質量部以上である硬化性組成物（以下、「本硬化性組成物」という）の硬化物（以下、「本硬化物」という）が使用される。
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２８
【補正方法】変更
【補正の内容】
【００２８】
上記成分Ａの中で、本硬化物の機械物性の向上の点で、（メタ）アクリレート（Ａ）としては、ジトリメチロールプロパンテトラ（メタ）アクリレート、テトラエチレングリコールジ（メタ）アクリレートまたは４−ヒドロキシブチル（メタ）アクリレートが好ましい。
【手続補正１２】
【補正対象書類名】明細書
【補正対象項目名】００２９
【補正方法】変更
【補正の内容】
【００２９】
本発明において、成分Ａの使用割合は、本硬化物の機械物性の向上の点で、成分Ａ、成分Ｂ及び成分Ｃの合計１００質量部中に７０質量部以上であり、８５質量部以上が好ましい。また、成分Ａの使用割合は、本硬化性組成物の硬化性の点で、成分Ａ、成分Ｂ及び成分Ｃの合計１００質量部中に９８．９９質量部以下が好ましく、９７．９質量部以下がより好ましい。
【手続補正１３】
【補正対象書類名】明細書
【補正対象項目名】００６１
【補正方法】変更
【補正の内容】
【００６１】
［参考例１］
（１）硬化性組成物の調製
成分Ａとして上記合成例１で得たウレタンアクリレートＵＡ１を６２．３部、トリス（２−アクリロイルオキシエチル）イソシアヌレート４．８部、ネオペンチルグリコールジアクリレート１．９部、２−エチル−２−メチル−１，３−ジオキソラン−４−イル−メチルアクリレート２６．８部、成分Ｂとして分子鎖末端にアクリロイル基を４個有するポリジメチルシロキサン（商品名：ＢＹＫ−ＵＶ３５７０、ビックケミー・ジャパン（株）製）１．３部及び成分Ｃとして１−ヒドロキシシクロヘキシル−フェニルケトン２．９部を混合溶解し、ろ過精度１μｍのフィルターでろ過した後、１．３×１０４Ｐａで脱気をして、硬化性組成物を得た。
【手続補正１４】
【補正対象書類名】明細書
【補正対象項目名】００６４
【補正方法】変更
【補正の内容】
【００６４】
尚、表１中の略号は、以下の化合物を示す。
ＵＡ１：合成例１で得たウレタンアクリレートＵＡ１
ＴＡＩＣ：トリス（２−アクリロイルオキシエチル）イソシアヌレート
ＤＴＭＰＴＡ：ジトリメチロールプロパンテトラアクリレート
ＮＰＧＤＡ：ネオペンチルグリコールジアクリレート
ＴＥＧＤＡ：テトラエチレングリコールジアクリレート
ＭＥＤＡ：２−エチル−２−メチル−１，３−ジオキソラン−４−イル−メチルアクリレート
ＤＣＰＡ：ジシクロペンテニルオキシエチルアクリレート
４ＨＢＡ：４−ヒドロキシブチルアクリレート
ＵＶ３５７０：ビックケミー・ジャパン（株）製ＢＹＫ−ＵＶ３５７０（商品名、分子鎖末端アクリロイル基数４のポリジメチルシロキサン、有効成分７０％、残り３０％はＰＯ変性−２−ネオペンチルグリコールジアクリレート）
ＵＶ３５００：ビックケミー・ジャパン（株）製ＢＹＫ−ＵＶ３５００（商品名、分子鎖末端アクリロイル基数２のポリジメチルシロキサン）
ＥＢ１３６０：ダイセルＵＣＢ（株）製エベクリル１３６０（商品名、分子鎖末端アクリロイル基数６のポリジメチルシロキサン）
ＨＣＰＫ：１−ヒドロキシシクロヘキシル−フェニルケトン
ＵＶ３５１０：ビックケミー・ジャパン（株）製ＢＹＫ−ＵＶ３５１０（商品名、ポリエーテル変性ポリジメチルシロキサン）
ＢＹＫ−３７７：ビックケミー・ジャパン（株）製ポリエーテル変性ヒドロキシ基含有ポリジメチルシロキサン（商品名）
Ｐ−２９：東レダウコーニング（株）製エチレンオキサイド変性ポリジメチルシロキサン（商品名）
【表１】
2009026432.tif 000001
【手続補正１５】
【補正対象書類名】明細書
【補正対象項目名】００６５
【補正方法】変更
【補正の内容】
【００６５】
［参考例２〜６、実施例１〜５、参考例７〜９及び比較例１］
硬化性組成物の組成及び光透過層の膜厚を表１に示すものとし、それ以外は参考例１と同様にして、評価用光ディスクを作製した。得られた硬化性組成物及び評価用光ディスクについて参考例１と同様にして評価した。評価結果を表１及び表２に示す。尚、参考例８及び９については、硬化性組成物が白濁したため、評価用光ディスクの作製と撥水撥油性の評価を中止した。
【表２】
2009026432.tif 000002